(57)【要約】【課題】必要に応じて育苗ポットから、苗の名称、栽培方法等苗に関する情報を印刷したラベルを切り取ることが可能な育苗ポットを提供することを目的とする。【解決手段】底部と側壁部を有する有底上端開口の柔軟な樹脂製育苗ポットであって、上記側壁部の一部に、上記育苗ポットに収納される苗に関する情報が記載されたラベルを印刷し、上記ラベルを切り離し可能とする。【選択図】図１
2009232686.tif 000002
【特許請求の範囲】
【請求項１】
底部と側壁部を有する有底上端開口の柔軟な樹脂製育苗ポットであって、上記側壁部の一部に、上記育苗ポットに収納される苗に関する情報が記載されたラベルを印刷し、上記ラベルを切り離し可能とすることを特徴とする育苗ポット。
【請求項２】
上記ラベルの周囲にミシン目を設けたことを特徴とする請求項１に記載の育苗ポット。
【発明の詳細な説明】
【技術分野】
【０００１】
本発明は、野菜や花等の植物の種苗を生育させるために使用される樹脂製の育苗ポットに関する。
【背景技術】
【０００２】
従来から、草花や野菜等の苗を育苗するためにポリエチレンやポリプロピレン等の軟質合成樹脂で構成された育苗ポットが使用されている。この育苗ポットで育苗される苗は、育苗ポット毎運搬され、店頭にて展示販売される。店頭での展示販売の際には、消費者のために、育苗ポットに苗の名称、栽培方法等苗に関する情報が表示されたラベルが取付けられる。また、苗の状態で販売するので、苗が成長した時の姿や、花の咲いた姿、あるいは、野菜や果物の実が生った姿を消費者に知ってもらうために、写真をラベルに印刷することも行われている。
【０００３】
このような情報を記載したラベルは、育苗ポットに取り付けるために、苗に関する情報を表示する表示部と、その表示部から延びる脚部とから構成され、多くの場合ラベルの脚部を育苗ポット内に収納されている培土に直接に差込んだりしている。
【０００４】
しかし、ラベルを直接に培土に差込む方法では、ラベルを育苗ポットから簡単に引く抜くことができるため、例えば、運搬時の衝撃や消費者のいたずら行為等によって、ラベルが引き抜かれてしまうと、特に、苗が幼苗である場合には、元の育苗ポットにラベルを正しく差戻すことができないという問題点があった。
【０００５】
そこで、上述した問題点を解決すべく、特許文献１には、育苗ポットの上縁部に設けた鍔部と、その鍔部にラベルを差込むための孔とを備えた育苗ポットが開示されている。この育苗ポットによれば、ラベルは鍔部に設けた孔に差込まれ、その孔と係合した状態で育苗ポットに取付けられる。よって、育苗ポットからラベルを引き抜かれ難くすることができると共に、ラベルの取り付け作業を簡単にすることができる。
【０００６】
また、特許文献２において、本発明者らは、育苗ポットの上端開口縁に、上方から側壁部の外面に沿って硬質薄板状ラベルが挿脱可能で、このラベルが所定長さだけ差しこまれるとラベルに係止して保持するスリットを形成したものを提案している。
【０００７】
その他にも、薔薇の苗等の大きな草花や野菜等の苗には、ラベルとしてフック式のラベルを吊り下げる場合も多い。そして、育苗ポットの外面に曲面印刷を施し、苗の名称、栽培方法等苗に関する情報を印刷したり、上記情報を印刷したラベルを貼り付けたものも用いられている。
【特許文献１】実公平７−４６１２８号公報
【特許文献２】特開２００２−０４５０４６号公報
【発明の開示】
【発明が解決しようとする課題】
【０００８】
しかしながら、従来の取り外しが可能なラベルは、簡単に引き抜けないように対策を施しても、その構造上、育苗ポットから外れてしまう可能性があり、場合によっては紛失してしまうという問題があった。また、上述のような育苗ポットの外面に印刷したり、ラベルを貼り付けたものでは、育苗ポットから苗を取り出して別の場所に苗を移し替えた時に、上記ラベルは育苗ポットから取り外すことができないので、ラベルを利用することができないという問題があった。
【０００９】
本願発明は、上述のような問題を解決するために、必要に応じて育苗ポットから、苗の名称、栽培方法等苗に関する情報を印刷したラベルを切り取ることが可能な育苗ポットを提供することを目的とする。
【課題を解決するための手段】
【００１０】
本願発明の育苗ポットは、底部と側壁部を有する有底上端開口の柔軟な樹脂製育苗ポットであって、上記側壁部の一部に、上記育苗ポットに収納される苗に関する情報が記載されたラベルを印刷し、上記ラベルを切り離し可能とすることを特徴とする。
【００１１】
そして、切り離しを容易にするために、上記情報が印刷された部分の周囲にミシン目を設けることが好ましい。
【発明の効果】
【００１２】
本願発明の育苗ポットは、底部と側壁部を有する有底上端開口の柔軟な樹脂製育苗ポットであって、上記側壁部の一部に、上記育苗ポットに収納される苗に関する情報が記載されたラベルを印刷し、上記ラベルを切り離し可能とすることにより、育苗ポットを使用している際には、ラベルが外れることは無く、必要に応じて上記ラベルを切り離すことができるので、ラベルを紛失することも無く、また、育苗ポットにも余分なものが付属しないので、積み重ね等も容易となる。
【００１３】
そして、上記情報が印刷された部分の周囲にミシン目を設けることにより、道具を使わずに簡単にラベルを取り外すことが可能となる。
【発明を実施するための最良の形態】
【００１４】
以下に図面を参照して本発明に係る育苗ポットの実施形態について説明する。
【００１５】
図１に示すのが、本発明の第1の実施形態の育苗ポット１の斜視図である。育苗ポット１は、底部２と側壁部３を有する有底上端開放の柔軟な樹脂製育苗ポットであり、上記側壁部３に上記育苗ポット１の内部に収納されている苗に関する情報、例えば、育苗ポットに苗の名称、栽培方法等苗に関する情報等が記載されたラベル４を印刷している。
【００１６】
上記育苗ポット１は、ポリエチレンＰＥやポリプロピレンＰＰ等の軟質合成樹脂製で、例えばポリエチレン（ＰＥ）を所定量混入した、厚さ０．４ｍｍ程度の薄い樹脂材料を真空成型またはブロー成形して得ることができる。
【００１７】
上記ラベル４には、図１に示すように上記情報の周囲に輪郭線５を印刷し、上記輪郭線５に沿って切り離すことができるようにしている。上記ラベル４は、上記側壁部３の外側だけでなく、内側に印刷することができる。内側に印刷する場合は、外側と同じ位置に印刷し、上記ラベル４を切り離した時に、上記ラベル４の両面に情報が印刷された状態となるようにする。
【００１８】
このように、内側に上記ラベル４を印刷する場合は、上述のような真空成型およびブロー成型による製造方法が適さないので、例えば、ＰＰ等の軟質合成樹脂の板に、図６に示すように、オフセット印刷によって上記ラベル４の表裏を印刷し、その後、折り曲げ加工して上記育苗ポット１の形にした後、継ぎ目を熱接着して成形する方法が用いられる。
【００１９】
上記ラベル4に印刷する内容としては、表には苗の名前、あるいは、苗が成長した時の姿や、花の咲いた姿、あるいは、野菜や果物の実が生った姿の写真等を印刷し（図２参照）、裏には苗を移し変えた後に参考となるような内容、例えば、苗の特性や苗の育て方等を印刷することができる（図３参照）。特に、内容は限定するものではなく、様々な情報を印刷することができる。ただし、裏側は上記ラベル４を上記育苗ポット１から切り離すまではほとんど見えないので、苗を販売している状態で必要な情報は、表に印刷することが好ましい。
【００２０】
本実施形態では、上記ラベル４の切り離しをはさみ等の道具を使って行う。そのために、上記ラベル４の輪郭線５を切取り線として用いる。この場合、切り取り線であることを明示することもできる。
【００２１】
また、上記側壁部３には、上記ラベル４だけでなく、その他の部分に、その他の情報、例えば苗の成長して行く状態や、実が生った状態の写真、あるいは様々なデザインを印刷することもできる。このようにして、従来であれば、黒などの地味な印象であった育苗ポットを華やかにすることもできる。さらに上記ラベル４の個数も図に示すように１つに限定するものではなく、複数印刷し、異なる情報を記載することも可能である。
【００２２】
このようにして、上記ラベル４を、育苗ポット１に一体に形成することにより、従来のように、上記ラベル４が外れて紛失する恐れが無くなり、必要に応じて上記ラベル４が切り離し可能となっており、さらに、育苗ポット１の表面が従来よりもデザイン性に優れたものが実現できる。
【００２３】
次に、図４に示す第２の実施形態の育苗ポット１’について詳しく説明する。
【００２４】
第２の実施形態の育苗ポット１’は、第１の実施形態と同様に、底部２と側壁部３を有する有底上端開放の柔軟な樹脂製育苗ポット１’であり、上記側壁部３に上記育苗ポット１’の内部に収納されている苗に関する情報、例えば、育苗ポットに苗の名称、栽培方法等苗に関する情報等が記載されたラベル４を印刷している。
【００２５】
さらに、本実施形態では、図４に示すように、上記ラベル４の周囲に輪郭線のかわりにミシン目６を設け、上記ラベル４をはさみ等の道具を使わずに手で簡単に切り離すことができる構造としている。
【００２６】
このように上記ラベル４をミシン目６を設けることで容易に取り外すことができるようになるので、上記育苗ポット１’に収納した苗を移し替えた後に、手で切り離し苗のそばに上記ラベル４を差し込むことが簡単にできるようになる。
【００２７】
本発明の育苗ポットの特徴は、切り離し可能なラベル４を育苗ポット１，１’の側壁部２に設けたことであり、育苗ポット１，１’およびラベル４の形状等は特に限定するものではなく、ラベル４以外の部分に印刷する内容も特に限定するものではない。
【図面の簡単な説明】
【００２８】
【図１】本発明の第１の実施形態の育苗ポットの斜視図である。
【図２】第１の実施形態の育苗ポットの側面図である。
【図３】第１の実施形態の育苗ポットから切り離した状態のラベルの裏側を示す正面図である。
【図４】第２の実施形態の育苗ポットの側面図である。
【図５】第２の実施形態の育苗ポットから切り離した状態のラベルの裏側を示す正面図である。
【図６】軟質合成樹脂の板にオフセット印刷した状態の育苗ポットの展開図である。
【符号の説明】
【００２９】
１、１’  育苗ポット
２  底部
３  側壁部
４  ラベル
５  輪郭線
６  ミシン目
【図１】
2009232686.tif 000003
【図２】
2009232686.tif 000004
【図３】
2009232686.tif 000005
【図４】
2009232686.tif 000006
【図５】
2009232686.tif 000007
【図６】
2009232686.tif 000008